(57)【特許請求の範囲】
【請求項１】
料金を投入し商品を選択した後に、つり銭が排出されるつり銭取出部を備えた自動販売機に着脱可能に固着される寄付金収集箱であって、
前記寄付金収集箱は、前面が開放された箱本体と、前記箱本体の前面開放部を開閉する蓋体と、前記前面開放部を前記蓋体で閉止した状態で、当該蓋体と前記箱本体とを分離不能に施錠する錠前とを有し、
前記箱本体の背面側には、開口窓部が貫通形成され、
前記開口窓部が前記つり銭取出部の前面に臨むようにして、前記箱本体を前記自動販売機に着脱可能に固着して、前記つり銭取出部内と前記箱本体とを連通させるとともに、前記つり銭取出部内に開口するつり銭排出口と前記箱本体の内部と間に、前記つり銭排出口を通過して排出されるつり銭を、前記開口窓部を介して、前記箱本体内に導入する傾斜スロープを設けたことを特徴とする自動販売機用寄付金収集箱。
【請求項２】
前記箱本体の前記開口窓部には、その下端に前記つり銭取出部の下端に係止される位置決め係止部が設けられていることを特徴とする請求項１記載の自動販売機用寄付金収集箱。
【請求項３】
前記箱本体の前記開口窓部には、その下端に、前記位置決め係止部の両側に、前記傾斜スロープの下端が挿入されて、当該傾斜スロープを所定の角度に保持する一対の傾斜突出部が設けられていることを特徴とする請求項２記載の自動販売機用寄付金収集箱。
【発明の詳細な説明】
【技術分野】
【０００１】
本発明は、寄付金収集箱に関し、特に、自動販売機に固着して、つり銭などを寄付金として収集する寄付金収集箱に関するものである。
【背景技術】
【０００２】
社会貢献のための募金や寄付金や拠出を求める一つの手法として、飲料水やたばこなどの自動販売機を利用することが考えられており、例えば、その２つの例が特許文献１，２に提案されている。
【０００３】
特許文献１に提案されている自動販売機システムは、ジュースやビールなどの商品を販売する自動販売機で、商品の購入時に、当該購入金額の一部を社会貢献に寄付するために、自動販売機の一部に寄付金額を表示する表示手段を設けたことを特徴としており、寄付金額は、あらかじめ商品の数％程度に設定されている。
【０００４】
特許文献２に提案されている自動販売機は、自動販売機の全面もしくは正面，側面に広告を表示し、その広告代金の一部を寄付するようにしたことを特徴としている。
【０００５】
しかしながら、このような従来の自動販売機を利用する寄付金の獲得手段には、以下に説明する課題があった。
【０００６】
【特許文献１】特開２００２−３２８１４号公報
【特許文献２】特開２００９−６４３０２号公報
【発明の開示】
【発明が解決しようとする課題】
【０００７】
すなわち、一般に、ＮＧＯや非営利団体，国連の機関などに寄付金を行う場合には、特定の企業から多額の寄付金の拠出を受けるよりも、小額であっても多数の一般人から個別に寄付金を受ける方が、寄付金の趣旨や社会貢献の徹底を図る上で望ましいと考えられている。
【０００８】
ところで、各種の自動販売機は、通常、設置場所の提供者と販売機の所有者との間で、リース契約が結ばれ、商品の販売利益でリース料金の返還を行っていることが多い。
【０００９】
このような契約形態の自動販売機において、設置場所の提供者が、商品の購入者に個別に寄付金の提供を呼びかける場合には、特許文献１のシステムでは、自動販売機の一部に寄付金額の表示手段を設けることになるので、販売機の大幅な改造を伴い、改造する際には、所有者の許可が必要になり、また、販売機を返却する場合にも現状復帰の費用がかかり、このような費用負担を考慮すると、実現性が困難な状況になっている。
【００１０】
また、特許文献１に提案されている自動販売機システムでは、寄付金の会計上の問題もある。すなわち、自動販売機の設置に関しては、設置者と設置場所提供者との２者契約であり、売上の数％を販売手数料などの名目で、設置者より設置場所提供者に支払われるため、寄付金の会計処理にさまざまの問題が生じる。
【００１１】
さらに、特許文献２に提案されている自動販売機は、広告主に寄付金の提供を求めるので、広告が付されている自動販売機で商品の購入者が商品を購入したとしても、購入者は、寄付金を行ったとの自覚が乏しく、個人から寄付金の拠出を受けたことにならないし、広告主が変わると、広告の貼り替えなども必要になる。
【００１２】
本発明は、このような問題点に鑑みてなされたものであって、その目的とするところは、自動販売機の大幅な改造を伴うことなく、不特定多数の個人の寄付金を収集することができる自動販売機用寄付金収集箱を提供することにある。
【課題を解決するための手段】
【００１３】
上記目的を達成するために、本発明は、料金を投入し商品を選択した後に、つり銭が排出されるつり銭取出部を備えた自動販売機に着脱可能に固着される寄付金収集箱であって、前記寄付金収集箱は、前面が開放された箱本体と、前記箱本体の前面開放部を開閉する蓋体と、前記前面開放部を前記蓋体で閉止した状態で、当該蓋体と前記箱本体とを分離不能に施錠する錠前とを有し、前記箱本体の背面側には、開口窓部が貫通形成され、前記開口窓部が前記つり銭取出部の前面に臨むようにして、前記箱本体を前記自動販売機に着脱可能に固着して、前記つり銭取出部内と前記箱本体とを連通させるとともに、前記つり銭取出部内に開口するつり銭排出口と前記箱本体の内部と間に、前記つり銭排出口を通過して排出されるつり銭を、前記開口窓部を介して、前記箱本体内に導入する傾斜スロープを設けた。
【００１４】
このように構成した寄付金収集箱によれば、自動販売機で商品を購入した際に、つり銭があると、つり銭は、つり銭排出口を介して、自動的につり銭取出部に排出されることになるが、本発明では、つり銭排出口と箱本体の内部と間に、つり銭排出口を通過して排出されるつり銭を、開口窓部を介して、箱本体内に導入する傾斜スロープを設けているので、つり銭は、自動的に箱本体内に収納され、前面のみが開放された箱本体に蓋体を取り付けて錠前で施錠しておけば、つり銭の取出しができなくなる。
【００１５】
このようなつり銭の収集は、箱が装着されている自動販売機で、不特定多数の個人が商品を購入した時に、つり銭が発生するとその度ごとに行われるとともに、例えば、寄付金の趣旨に賛同した場合には、つり銭以外に、寄付しようとする金額を投入して、払い戻しレバーを操作すると同様に、これが収集箱内に収納される。
【００１６】
そして、つり銭などがある程度溜まった段階で、施錠を解除して、内部のつり銭を取り出して、ＮＧＯや非営利団体，国連の機関などに寄付することになる。
【００１７】
このようにして寄付金の収集が行える自動販売機用寄付金収集箱では、自動販売機側のつり銭取出し部の前面に揺動自在なフラッパが設けられている場合には、このフラッパを取り外せば設置が可能であり、自動販売機側の改造は、全く必要としない。
【００１８】
前記箱本体の前記開口窓部には、その下端に前記つり銭取出部の下端に係止される位置決め係止部を設けることができる。
【００１９】
前記箱本体の前記開口窓部には、その下端に、前記位置決め係止部の両側に、前記傾斜スロープの下端が挿入されて、当該傾斜スロープを所定の角度に保持する一対の折曲挿入部を設けることができる。
【発明の効果】
【００２０】
本発明の自動販売機用寄付金収集箱によれば、自動販売機の大幅な改造を伴うことなく、不特定多数の個人の寄付金を収集することができる
【発明を実施するための最良の形態】
【００２１】
以下、本発明の好適な実施の形態について、添付図面に基づいて詳細に説明する。図１〜図７は、本発明に係る自動販売機用寄付金収集箱の一実施例を示している。
【００２２】
これらの図に示した寄付金収集箱１０は、図１に示すように、公知の自動販売機１２に着脱可能に固着されるものであり、自動販売機１２は、例えば、缶飲料の販売機であって、通常、この種の自動販売機１２は、料金投入口に料金を投入して、商品を選択すると、つり銭がある場合には、つり銭が自動販売機１２の前面側に設けられているつり銭取出部１４に排出される。
【００２３】
つり銭取出部１４は、図２にその一例を示すように、自動販売機１２の前面から奥側に向けて凹状に形成されていて、奥面につり銭の排出口１６の端部が開口しており、排出口１６を介して搬出されるつり銭が凹状の取出部１４内に排出される。
【００２４】
つり銭取出部１４の前面は、通常、上端が揺動自在に支持されるフラッパーにより閉塞され、取出部１４の前面下端には、上方に突出する突起１８が設けられていて、つり銭が取出部１４から外方に飛び出すことが防止れさている。
【００２５】
本実施例の寄付金収集箱１０は、図３にその正面図を示すように、箱本体２０と、蓋体２２と、錠前２４と、傾斜スロープ２６とを有している。箱本体２０および蓋体２２，傾斜スロープ２６は、平板状の金属板を折曲加工して所定形状に形成されている。
【００２６】
箱本体２０は、図４〜図６に示すように、背面部２０ａと、この背面部の３方向に立設する一対の側面部２０ｂおよび底面部２０ｄとを有している。前面側の上部には、カバー２０ｅが設けられ、カバー２０ｅの下方の長方形領域が、この部分のみが開口した前面開放部２０ｆとなっている。
【００２７】
背面部２０ａの上部側には、長方形状の開口窓部２０ｇが板材を穿設することにより貫通形成されている。開口窓部２０ｇの下端中央には、自動販売機１２のつり銭取出部１４の突起１８に係止される位置決め係止部２０ｈが突出形成されていて、本実施例の場合、位置決め係止部２０ｈは、略Ｌ字状に折曲されている。
【００２８】
また、開口窓部２０ｇの下端には、位置決め係止部２０ｈの両側に、傾斜スロープ２６の下端が挿入される突出部２０ｉが一対設けられている。本実施例の場合、突出部２０ｉは、これに嵌合挿入される傾斜スロープ２６を所定の角度に保持するために、垂直位置から外側に向けて所定角度傾斜した状態になっている。
【００２９】
さらに、底面部２０ｄの前端には、所定の間隔を隔てて、一対の角形突部２０ｊが突出形成されている。この角形突部２０ｊは、蓋部２２の前面下端に貫通形成されたスリット孔（図示省略）に嵌合して、蓋体２２を箱本体２０の前面開放部２０ｆに嵌着する際の位置決めとなるものである。
【００３０】
なお、カバー２０ｅの先端には、内方折曲部２０ｋが形成され、この内方折曲部２０ｋは、蓋体２２を前面開放部２０ｆに嵌着する際に挿入ガイドとして機能し、かつ、錠前２４を施錠した際にフック２４ｂが係合して、蓋体２２の分離を不能にするものである。
【００３１】
蓋体２２は、図６に示すように、前面部２２ａと、底面部２２ｂと、コイン収納部２２ｃとを有している。前面部２２ａは、箱本体２０の前面側の前面開放部２０ｆと同じ形状になっている。
【００３２】
前面部２２ａの上端には、折曲部２２ｄが設けられており、この折曲部２２ｄは、蓋体２２を箱本体２０の前面開放部２０ｆに嵌着する際に、内方折曲部２０ｋに当接して、挿入ガイドとなる。
【００３３】
コイン収納部２２ｃは、前面部２２ａの背面側にあって、底面部２２ｂに略コ字形に折曲した板を固設したものであり、寄付金となるつり銭がその内部に収納される。なお、このコイン収納部２２ｃは、略コ字形の板にコインの透過が不能な貫通孔を複数形成して、寄付金収集箱の全体重量を軽減することもできる。
【００３４】
錠前２４は、蓋体２２の前面部２２ａの上部側に配置され、回転シリンダー部２４ａと、このシリンダー部２４ａの後端に取り付けられたフック２４ｂとを有している。シリンダー部２４ａにキーを装着して、これを回転することにより、フック２４ｂが箱本体２０の内方折曲部２０ｋに係合すると、蓋体２２が箱本体２０に分離不能になる。
【００３５】
傾斜スロープ２６は、つり銭取出部１４内に開口するつり銭排出口１６と箱本体２０との間に配置され、つり銭排出口１６を通過して排出されるつり銭を、開口窓部２０ｇを介して、箱本体２０内に導入するものである。
【００３６】
このような機能を備えた傾斜スロープ２６は、一枚の平版を折曲加工したものであって、その詳細を図７に示している。同図に示した傾斜スロープ２６は、概略凹状に形成された本体２６ａと、本体２６ａの下端に設けられた挿入部２６ｂとを有している。
【００３７】
挿入部２６ｂは、一対が本体２６ａの側方に配置され、本体２６ａの端部を背面側に折り曲げた形態になっている。この挿入部２６ｂは、箱本体２０の開口窓部２０ｇの下端に突設された突出部２０ｉにそれぞれ挿入され、これにより傾斜スロープ２６が箱本体２０に取り付けられる。なお、挿入部２６ｂの折り曲げ角度は、図示したＶ字形だけでなく、Ｕ字状になるように深く折り曲げてもよい。また、挿入部２６は、本体部２６ａの背面側に折り曲げた状態だけでなく、本体２６ａの前面側に折り曲げてもよい。
【００３８】
以上のように構成した寄付金収集箱１０を自動販売機１２に取り付ける際には、以下のような手順で行われる。収集箱１０の取付では、まず、箱本体２０の開口窓部２０ｇに傾斜スロープ２６を取り付けた状態で、開口窓部２０ｇがつり銭取出部１４の前面に臨むようにして固着される。
【００３９】
この際に、つり銭取出部１４にフラップが取着されていれば、これを取外して、位置決め係止部２０ｈを取出部１４の突起１８に係止するようにして、箱本体２０の位置決めが行われる。
【００４０】
この場合、箱本体２０は、自動販売機１２に対して、例えば、両面テープや永久磁石を用いることで、着脱可能に固着される。なお、箱本体２０の固着に際しては、蓋体２２を箱本体２０に嵌合させた状態でも行えるが、固着作業が前面開放部２０ｆと開口窓部２０ｇとを介して目視することが可能になるので、蓋体２２を嵌着することなく、箱本体２０だけを固着するほうが望ましい。
【００４１】
このようにして、箱本体２０を固着すると、図２にその詳細を示すように、つり銭取出部１４内と箱本体２０とが開口窓部２０ｇを介して連通させられるとともに、つり銭取出部１４内に開口するつり銭排出口１６と箱本体２０の内部と間に、傾斜スロープ２６が渡設された形態になる。なお、傾斜スロープ２６の傾斜角度や長さは、寄付金収集箱１０を取り付ける自動販売機１２の仕様にあわせて変更することが可能である。
【００４２】
そして、箱本体２０の前面開放部２０ｆに、蓋体１６を嵌着して、錠前２４を施錠すると、寄付金収集箱１０の取り付けが完了する。蓋体１６を箱本体２０の前面開放部２０ｆに嵌合する際には、角形突起２０ｊに底面部２２ｂに貫通形成されスリットを挿入することで、下端側の位置決めを行い、折曲部２２ｄを内方折曲部２０ｋに摺接させながら蓋体２２を箱本体２０の内方に押し込むことになる。
【００４３】
蓋体２２の嵌着が完了すると、錠前２４にキーを差し込んで、シリンダ２４ａを回転させて、フック２４ｂを内方折曲部２０ｋに係止させて、キーを抜き取ると施錠が完了する。
【００４４】
寄付金収集箱１０の表面には、寄付金の趣旨や社会貢献の用途などをシールなどで表示することができ、また、このようなシールは、例えば、寄付金収集箱１０が取り付けられる自動販売機１２の前面に貼付することもできる。
【００４５】
さて、以上のように構成した寄付金収集箱１０によれば、自動販売機１２で商品を購入した際に、つり銭があると、つり銭は、つり銭排出口１６を介して、つり銭取出部１４に自動的に排出されることになるが、つり銭排出口１６と箱本体２０の内部と間に、つり銭排出口１６を通過して排出されるつり銭を、開口窓部２０ｇを介して、箱本体２０内に導入する傾斜スロープ２６を設けているので、つり銭は、箱本体２０内に設けられているコイン収納部２２ｃに自動的に収納され、前面が開放された箱本体２０に蓋体２２を取り付けて錠前２４で施錠しておけば、つり銭の取出しができなくなる。
【００４６】
このようなつり銭の収集は、箱１０が装着されている自動販売機１２で、不特定多数の個人が商品を購入した時に、つり銭が発生するとその度ごとに行われるとともに、また、例えば、寄付金の趣旨に賛同した場合には、つり銭以外に、寄付しようとする金額を投入して、自動販売機１２の払い戻しレバーを操作すると、これが同様に収集箱１０内に収納される。
【００４７】
そして、つり銭などがある程度溜まった段階で、施錠を解除して、蓋体２２を箱本体２０から取外し、内部のつり銭を取り出して、ＮＧＯや非営利団体，国連の機関などに寄付することになる。
【００４８】
このようにして寄付金の収集が行える自動販売機用寄付金収集箱１０では、自動販売機１２側のつり銭取出し部１４の前面に揺動自在なフラッパが設けられている場合には、このフラッパを取り外せば設置が可能であり、自動販売機１２側の改造は、全く必要としない。
【産業上の利用可能性】
【００４９】
本発明にかかる自動販売機用寄付金収集箱は、これを取り付ける自動販売機の改造を必要としないので、例えば、工場の敷地内に設置されている自動販売機に取り付けて寄付金を募ることができる。
【図面の簡単な説明】
【００５０】
【図１】本発明にかかる寄付金収集箱を自動販売機に取り付けた状態の説明図である。
【図２】図１の要部拡大断面図である。
【図３】本発明にかかる寄付金収集箱の一例を示す正面図である。
【図４】図１の背面図である。
【図５】図１の縦断面図である。
【図６】図１に示した寄付金収集箱の分解斜視図である。
【図７】図１に示した寄付金収集箱に用いる傾斜スロープの説明図である。
【符号の説明】
【００５１】
１０          寄付金収集箱
１２          自動販売機
１４          つり銭取出部
１６          つり銭排出口
１８          突起
２０          箱本体
２２          蓋体
２４          錠前
２６          傾斜スロープ
【図１】
0005405934.tif 000002
【図２】
0005405934.tif 000003
【図３】
0005405934.tif 000004
【図４】
0005405934.tif 000005
【図５】
0005405934.tif 000006
【図６】
0005405934.tif 000007
【図７】
0005405934.tif 000008